(57)【特許請求の範囲】
【請求項１】
下面に印字体を取り付け本体と、弾性体を介して前記本体を上下に摺動可能に収容する枠体と、前記枠体の内側に軸支され当該枠体の下開放部を開閉可能とするとともに前記本体を押圧したときに両外側に回動することにより前記印字体の印面を下方に露出させる一対の開閉カバーとを備える開閉式印判であって、
前記開閉カバーを回動したときその一部に前記枠体の側壁の進入を許容する切欠きを形成するとともに、前記開閉カバーが所定の回動位置で前記側壁の端部に当接して当該端部の進入を阻むことにより前記開閉カバーの回動を規制する凸状部を前記切欠きに形成したことを特徴とする開閉式印判。
【請求項２】
前記凸状部は、前記枠体の側壁端部に弾性的に当接することで前記開閉カバーの回動を前記所定の回動位置である第一の回動位置に一次的に規制するものであり、前記開閉カバーに所定以上の外力を付与したとき前記側壁端部が前記凸状部を乗り越えた第二の回動位置まで前記開閉カバーが回動可能であることを特徴とする、請求項１に記載の開閉式印判。
【請求項３】
前記枠体の側壁端部が前記凸状部に当接することにより、前記開閉カバーが前記第二の回動位置に保持されることを特徴とする、請求項２に記載の開閉式印判。
【請求項４】
前記本体に一体に設けた突起と前記開閉カバーに形成した溝とが係合することにより、前記本体の直動に連動して前記開閉カバーが回動するように構成され、前記開閉カバーの回動位置が少なくとも前記所定の回動位置までの範囲では前記係合が維持されることを特徴とする、請求項１〜３の何れか１項に記載の開閉式印判。
【発明の詳細な説明】
【技術分野】
【０００１】
本発明は、捺印時に印字体を露出させる開閉カバーを備える開閉式印判に関する。
【背景技術】
【０００２】
従来、朱肉を用いずに印字体にインキを予め浸透させた印判が広く普及している。そのような印判は、インキの汚れやシミを防ぐために、通常、印字体にキャップが被せられるようにしている。しかし、キャップ付きの印判では、キャップが外れたり紛失したりし易いという欠点があるため、通常は印字体を開閉カバー内の空間に格納しておき、捺印時に開閉カバーが回動して印字体を紙面に露出させる開閉式印判が提案されている（例えば、特許文献１〜３参照）。
【先行技術文献】
【特許文献】
【０００３】
【特許文献１】実用新案登録第３０４６５５１号公報
【特許文献２】実用新案登録第３１５６７５８号公報
【特許文献３】米国特許第８１１７９６５号明細書
【発明の概要】
【発明が解決しようとする課題】
【０００４】
しかし、従来の開閉式印判では、例えば印字体やインキを交換するために開閉カバーを開け過ぎると、開閉カバーが元の閉位置に戻らなくなる場合があった。例えば特許文献３の印判は、開閉カバーが自重で元の位置に戻る構造となっているため、印判を壁や、逆さにして天井等に捺印する場合には、開閉カバーの係合が外れ開閉カバーが開いたままの位置でロックされるという不都合を生じていた。
【０００５】
本発明は、このような課題に鑑みてなされたものであり、印判がどのような姿勢であっても開閉カバーの動作を確実にする等の開閉式印判を提供することである。
【課題を解決するための手段】
【０００６】
上述した課題を解決するため、本発明は、下面に印字体を取り付け本体と、弾性体を介して前記本体を上下に摺動可能に収容する枠体と、前記枠体の内側に軸支され当該枠体の下開放部を開閉可能とするとともに前記本体を押圧したときに両外側に回動することにより前記印字体の印面を下方に露出させる一対の開閉カバーとを備える開閉式印判であって、前記開閉カバーを回動したときその一部に前記枠体の側壁の進入を許容する切欠きを形成するとともに、前記開閉カバーが所定の回動位置で前記側壁の端部に当接して当該端部の進入を阻むことにより前記開閉カバーの回動を規制する凸状部を前記切欠きに形成したことを特徴とする開閉式印判である。
【０００７】
上記構成において、前記凸状部は、前記枠体の側壁端部に弾性的に当接することで前記開閉カバーの回動を前記所定の回動位置である第一の回動位置に一次的に規制するものであり、前記開閉カバーに所定以上の外力を付与したとき前記側壁端部が前記凸状部を乗り越えた第二の回動位置まで前記開閉カバーが回動可能であることが好ましい。
【０００８】
また、開閉式印判は、前記枠体の側壁端部が前記凸状部に当接することにより、前記開閉カバーが前記第二の回動位置に保持されることが好ましい。
【０００９】
また、開閉式印判は、前記本体に一体に設けた突起と前記開閉カバーに形成した溝とが係合することにより、前記本体の直動に連動して前記開閉カバーが回動するように構成され、前記開閉カバーの回動位置が少なくとも前記所定の回動位置までの範囲では前記係合が維持されることが好ましい。
【発明の効果】
【００１０】
本発明に係る開閉式印判は、開閉カバーを回動したときその一部に枠体の側壁の進入を許容する切欠きを形成するとともに、開閉カバーが所定の回動位置で側壁の端部に当接して当該端部の進入を阻むことにより開閉カバーの回動を規制する凸状部を形成した。凸状部により開閉カバーの回動が所定範囲に規制され、開閉カバーの開き過ぎを防止することができる。また、開閉カバーの回動位置が少なくとも所定の回動位置までの範囲では、本体の突起と開閉カバーの溝との係合が維持されるので、印判がどのような姿勢であっても、開閉カバーの閉じ動作を確実にすることができる。
【図面の簡単な説明】
【００１１】
【図１】本発明の一実施形態による開閉式印判の斜視図である。
【図２】図１の開閉式印判の分解斜視図である。
【図３】開閉カバーの構成およびその動作を説明するための図である。
【図４】開閉カバーの動作を更に説明するための図である。
【発明を実施するための形態】
【００１２】
以下、図面を参照して、本発明の好適な実施形態による開閉式印判１０の構成を説明する。図１は開閉式印判１０の斜視図、図２は開閉式印判１０の分解斜視図である。
【００１３】
開閉式印判１０は、印字体２１を下部に設ける本体２０と、弾性体であるコイルバネ６０を介して本体２０を上下に摺動可能に収容する枠体４０と、枠体４０の内側に軸支され当該枠体４０の下開放部を開閉させる一対の開閉カバー５０，５０とを備えている。本体２０の上部に設けた外筒体３０を押圧したときに、開閉カバー５０，５０が両外側に回動することにより、印字体２１の印面を下方に露出させることができる。
【００１４】
印判の本体２０は、概ね立方体状の下部体２５に印字体２１が装着され、印字体２１の下面が印面となっている。本体２０の上面２０ａには、本体２０の長手方向に２つの嵌合案内柱２３，２３が並んで形成されている。２つの嵌合案内柱２３，２３の間には、コイルバネ６０を挿通させる円柱２４が植設されている。嵌合案内柱２３，２３は、後述する枠体４０の挿通孔４４，４４に挿入される。嵌合案内柱２３，２３の上部には、印判を捺印する際の持ち手部分でもある外筒体３０が嵌装される。なお、嵌合案内柱２３，２３は、枠体４０と摺動可能であって外筒体３０に嵌合可能であれば、平板状または円柱状であってもよく、図２に示す態様に限定されない。また、嵌合案内柱２３，２３の例えば上部に、外筒体３０内で係止され得る弾性爪等が形成されてもよい。
【００１５】
本体２０の下部体２５の前後面中央には、後述する開閉カバーの５０，５０の溝５４と係合して、これらを開閉動作させるためのひし形の突起２６が形成されている。更に突起２６の下方に、枠体４０の案内溝４３に案内されることで、本体２０の上下移動を安定させるための凸円柱２７が形成されている。
【００１６】
枠体４０は、捺印時にその下端を紙面に接触させて位置決めするための下枠部４２と、下枠部４２の上部に立設され、外筒体３０が被せられる四角桶状の上枠部４１とが一体形成されてなる部材である。下枠部４２の左右は大きく切り欠かれており、その横開放部が開閉カバー５０の側板５１によって塞がれ、下枠部４２の下開放部が左右一対の開閉カバー５０，５０の底板５２，５２で塞がれるようになっている。
【００１７】
下枠部４２の天板部分には、本体２０の嵌合案内柱２３，２３を挿通させるための挿通孔４４，４４と、円柱２４を挿通させるための挿通孔４５が形成されている。印判の本体２０は、嵌合案内柱２３，２３を挿通孔４４，４４に挿通させ、円柱２４を挿通孔４５させた後、コイルバネ６０がその内部を円柱２４が貫通するようにして設置される。コイルバネ６０は圧縮状態で、その上端部が円柱２４の先端に嵌着されたストッパ６１に当接している。すなわち、圧縮されたコイルバネ６０によって、本体２０が枠体４０内に常時収容される方向に付勢力が作用している。
【００１８】
２つの開閉カバー５０，５０は、枠体４０の下枠部４２の左右両側に一対に設けられる共通の部材である。開閉カバー５０は、側板５１、底板５２およびブラケット板５３を有する、長尺バケットの半割れ片の形態を有している。開閉カバー５０は、その長手方向両端側のブラケット板５３に形成された回動軸部５６が枠体４０の内側で軸支されることで、枠体４０の下開放部を開閉するように回動可能に設けられる。
【００１９】
図３に示すように、開閉カバー５０のブラケット板５３の外縁部には、開閉カバー５０が外側に回動したとき枠体４０の側壁端部４２ａ（詳細には横開放部の上端部）の進入を許容する切欠き５５が形成されている。また、切欠き５５には、開閉カバー５０が図３（ｂ）に示される所定の回動位置で側壁端部４２ａに当接する凸状部５５ａが形成されている。開閉カバー５０の回動時に側壁端部４２ａが凸状部５５ａに当接することで、開閉カバー５０の回動がその所定の位置で一旦規制される。ここで、開閉カバー５０が所定の回動位置とは、印字体２１の印面を捺印可能なまでに露出させる回動位置をいう。
【００２０】
開閉カバー５０のブラケット板５３の本体２０中央に臨む内縁部には、本体２０に一体に設けたひし形の突起２６に係合する溝５４が形成されている。突起２６と溝５４，５４とが係合状態にあるとき、開閉カバー５０，５０の回動角は、突起２６の上下の位置に応じて定まる。開閉式印判１０は、押圧される本体２０の直動動作に連動して開閉カバー５０，５０が回動するように構成されている。すなわち、捺印時にコイルバネ６０の反発力に抗して外筒体３０を押し下げると、本体２０に一体に形成された突起２６が下降して左右の溝５４，５４を押し下げ、左右の開閉カバー５０，５０を開く側に回動させる。
【００２１】
開閉カバー５０が、図３（ｂ）に示す所定の回動位置では、切欠き５５内の凸状部５５ａが下枠部４２の側壁端部４２ａに当接して当該端部の進入を阻むことにより、開閉カバー５０の回動が規制される。これにより、開閉カバー５０の開き過ぎを防止することができる。また、開閉カバー５０の回動位置が少なくとも所定の回動位置までの範囲では、突起２６と溝５４との係合状態が維持される。したがって、印判１０がどのような向きで使用されても、突起２６と溝５４との係合状態が維持される状態であれば、開閉カバー５０の閉じ動作を確実にすることができる。
【００２２】
また、本実施形態において、図３（ｂ）に示す所定の回動位置では、下枠部４２の側壁端部４２ａが、切欠き５５内の凸状部５５ａの外側に弾性的に当接している。つまり、開閉カバー５０は、その所定の回動位置に一次的に規制されているに過ぎず、開閉カバー５０に更に大きな外力を加えて強制的に開くと、下枠部４２の側壁端部４２ａが凸状部５５ａを乗り越え、図４に示す第二の回動位置まで開閉カバー５０を回動させることができる。
【００２３】
図４に示す第二の回動位置に開閉カバー５０を回動させた状態では、下枠部４２の側壁端部４２ａが切欠き５５の奥まで入り込む。このとき凸状部５５ａの内側が側壁端部４２ａに当接することで、開閉カバー５０を大きく開いた状態を保持することができる。これにより、印字体２１やインキカートリッジの交換を容易にすることができる。
【符号の説明】
【００２４】
１０  開閉式印判
２０  本体
２１  印字体
２４  円柱
２５  下部体
２６  突起
３０  外筒体
４０  枠体
４１  上枠部
４２  下枠部
４２ａ  側壁端部
５０  開閉カバー
５１  側板
５２  底板
５３  ブラケット板
５４  溝
５５  切欠き
５５ａ  凸状部
５６  回動軸部
６０  コイルバネ（弾性体）
６１  ストッパ
【図１】
0006638492.tif 000002
【図２】
0006638492.tif 000003
【図３】
0006638492.tif 000004
【図４】
0006638492.tif 000005